(57)【特許請求の範囲】
【請求項１】
モータ（２０）の出力軸にギヤ（１１，１２）を介して連動する水平フラップ用シャフト（１０）と、
上記水平フラップ用シャフト（１０）によりケーシングの吹出口（５）に上下方向に回動自在に支持された水平フラップ（３）とを備えて、
上記水平フラップ（３）のスイング動作時の回動角度の範囲内において、上記水平フラップ（３）の重心による回転モーメントが上記水平フラップ（３）の同一回動方向に作用するようにしたことを特徴とする空気調和機の吹出口構造。
【発明の詳細な説明】
【０００１】
【発明の属する技術分野】
この発明は、吹出口に上下方向に回動する水平フラップを備えた空気調和機の吹出口構造に関する。
【０００２】
【従来の技術】
従来より、空気調和機としては、ケーシング内に熱交換器と送風ファンとを備えて、送風ファンにより吸込口から熱交換器を介して吸い込んだ空気を吹出口から吹き出し、上下方向にスイング動作する水平フラップによって吹き出し空気の風向を上下方向に変えるものがある。この空気調和機の吹出口構造は、図２に示すように、吹出口４５が形成されたドレンパン４１と、上記ドレンパン４１の下側に吹出口４５に垂直に設けられた複数のフラップ支持板４２（図２では１つのみを示す）と、上記フラップ支持板４２から前方に延びるアーム４２ａに水平フラップ用シャフト５０により上下方向に回動自在に支持された水平フラップ４３と、上記ドレンパン４１の吹出口４５の上側にディフューザ用シャフト６０により上下方向に回動自在に支持された断面くの字形状のディフューザ（空気流制御部材）４４とを備えている。
【０００３】
また、図３は図２に示す水平フラップ４３とディフューザ４４の駆動機構を示す分解斜視図である。図３に示すように、フラップギア１１の軸部１１ａの一端をギアボックス２１の嵌合穴２１ａに嵌合する一方、フラップギア１１の軸部１１ａの他端から軸方向に延びる連結部１１ｂがギアボックスカバー２２の嵌合穴２２ａを貫通し、その連結部１１ｂを図２に示す水平フラップ用シャフト５０に同軸に連結している。そして、上記フラップギア１１にカムギア１２のギア部１２ｂが噛合している。上記カムギア１２の軸部１２ｃの一端をギアボックス２１の嵌合穴２１ｂに嵌合する一方、カムギア１２の軸部１２ｃの他端をギアボックスカバー２２の嵌合穴２２ｂに回動自在に嵌合している。上記カムギア１２の軸部１２ｃの一端に設けられた嵌合穴２３にステッピングモータ２０の出力軸２０ａを嵌合し、カムギア１２の軸部１２ｃとステッピングモータ２０の出力軸２０ａとを連結している。上記ステッピングモータ２０をギアボックス２１にネジ３１，３２により固定している。
【０００４】
上記構成の空気調和機の吹出口構造では、上記モータ２０を回転させると、フラップギア１１，カムギア１２および水平フラップ用シャフト５０を介して水平フラップ４３を駆動すると共に、カムギア１２のカム部１２ａに連動する図示しないリンク機構により図２に示すディフューザ用シャフト６０を介してディフューザ４４を駆動する。
【０００５】
【発明が解決しようとする課題】
ところで、上記空気調和機の吹出口構造では、水平フラップ用シャフト５０を中心として水平フラップ４３がスイング動作するとき、水平フラップ４３の回動範囲Ｒ２内において、水平フラップ４３の重心が点Ｃ１２から点Ｃ１３の範囲内で移動する。上記水平フラップ用シャフト５０の中心軸Ｏ２とそれを通る垂線Ｖ２とを含む平面を水平フラップ４３の重心が横切る。このとき、上記水平フラップ４３と水平フラップ用シャフト５０，フラップギア１１およびカムギア１２およびステッピングモータ２０のギア等の連結部分にバックラッシ（ｂａｃｋｌａｓｈ）があり、水平フラップ４３のスイング動作がスムーズに行われないという欠点がある。すなわち、上記水平フラップ４３の重心が点Ｃ１２から垂線Ｖ２までの範囲で移動するとき、水平フラップ４３に回動方向と同一方向に回転モーメントが働くが、水平フラップ４３の重心が垂線Ｖ２から点Ｃ１３までの範囲で移動するとき、水平フラップ４３に回動方向と逆方向に回転モーメントが働き、水平フラップ４３が回転モーメントの作用する方向が切り換わる点で上述のバックラッシにより水平フラップ４３の動きが一旦止まるのである。
【０００６】
この水平フラップ４３のスイング動作をスムーズに行うため、水平フラップ４３と水平フラップ用シャフト５０，フラップギア１１およびカムギア１２のそれぞれの連結部分を精密に調整して遊びを小さくするか、または、夫々の軸と軸受の嵌合部分等にダンパ効果を有する部材（例えばクッション材）を使用することが考えられるが、精密加工を必要としたり、ステッピングモータ２０の回転トルクを大きくしたりする必要があるので、コストが高くつくという問題がある。
【０００７】
そこで、この発明の目的は、駆動機構の精密調整や別部材を使用する必要がなく、低コストで水平フラップのスイング動作をスムーズに行うことができる空気調和機の吹出口構造を提供することにある。
【０００８】
【課題を解決するための手段】
上記目的を達成するため、請求項１の空気調和機の吹出口構造は、モータの出力軸にギヤを介して連動する水平フラップ用シャフトと、上記水平フラップ用シャフトによりケーシングの吹出口に上下方向に回動自在に支持された水平フラップとを備えて、上記水平フラップのスイング動作時の回動角度の範囲内において、上記水平フラップの重心による回転モーメントが上記水平フラップの同一回動方向に作用するようにしたことを特徴としている。
【０００９】
上記請求項１の空気調和機の吹出口構造によれば、上記水平フラップのスイング動作時に水平フラップの重心による回転モーメントが水平フラップの同一回動方向に作用するので、スイング動作中、水平フラップの重心による回転モーメントが作用する方向が反転することがなく、水平フラップのスイング動作の上死点および下死点以外で水平フラップの動きが一旦停止するようなことがない。したがって、駆動機構の精密調整や別部材を使用する必要がなく、低コストで水平フラップのスイング動作をスムーズに行うことができる。
【００１０】
【発明の実施の形態】
以下、この発明の空気調和機の吹出口構造を図示の実施の形態により詳細に説明する。
【００１１】
図１はこの発明の実施の一形態の空気調和機の吹出口構造の要部断面図である。なお、上記空気調和機の吹出口構造において、水平フラップとディフューザの駆動機構は、図３に示すものと同一の構成をしており、図と説明を省略して、図３を援用する。
【００１２】
図１に示すように、この空気調和機の吹出口構造は、下側に吹出口５が形成されたドレンパン１と、上記ドレンパン１の下側に吹出口５に垂直に設けられた複数のフラップ支持板２（図１では１つのみを示す）と、上記フラップ支持板２から前方に延びるアーム２ａに水平フラップ用シャフト１０により上下方向に回動自在に支持された水平フラップ３と、上記ドレンパン１の吹出口５の上側にディフューザ用シャフト２０により上下方向に回動自在に支持された断面Ｔ字形状のディフューザ４とを備えている。図３に示すモータ２０を回転させると、フラップギア１１，カムギア１２および水平フラップ用シャフト１０を介して水平フラップ３を駆動すると共に、カムギア１２とそれに連動する図示しないリンク機構によりディフューザ用シャフト２０を介してディフューザ４を駆動する。なお、この空気調和機の停止時は、水平フラップ３とディフューザ４により吹出口５を全閉状態にする。このときの水平フラップ３の重心は点Ｃ１である。
【００１３】
上記構成の空気調和機の吹出口構造において、例えば冷房運転時、水平フラップ３の図２の矢印Ｒ１に示す回動角度の範囲内においてスイング動作するとき、水平フラップ３の重心は点Ｃ２から点Ｃ３までの範囲で往復移動する。上記水平フラップ３の重心による回転モーメントは、水平フラップ用シャフト１０の中心軸Ｏ１とそれを通る垂線Ｖ１とを含む平面より図中右側の点Ｃ２から点Ｃ３の範囲内で常に時計回りの方向に作用する。このように、上記水平フラップ３の重心による回転モーメントが水平フラップ３の同一回動方向にのみ作用するので、スイング動作中、水平フラップ３の重心による回転モーメントが作用する方向が反転することがない。したがって、例え水平フラップ３と水平フラップ用シャフト１０，フラップギア１１およびカムギア１２およびステッピングモータ２０のギア等の連結部分にバックラッシがあっても、水平フラップ３のスイング動作の上死点および下死点以外で水平フラップ３の動きが一旦停止するような不連続動作が生じることがない。
【００１４】
したがって、駆動機構の精密調整の必要がなく、また、別部材を使用することなく、低コストで水平フラップのスイング動作をスムーズに行う空気調和機の吹出口構造を実現することができる。
【００１５】
上記実施の形態では、水平フラップ３とディフューザ４が連動して上下方向に夫々回動したが、ディフューザはなくともよい。
【００１６】
また、上記実施の形態では、フラップ支持板２から延びるアーム２ａの先端側に水平フラップ用シャフト１０により上下方向に回動する水平フラップ３について説明したが、水平フラップの形状等はこれに限らず、水平フラップのスイング動作時の回動角度の範囲内において、上記水平フラップの重心による回転モーメントが水平フラップの同一回動方向に作用するものであればよい。
【００１７】
【発明の効果】
以上より明らかなように、請求項１の発明の空気調和機の吹出口構造は、モータの出力軸にギヤを介して連動する水平フラップ用シャフトと、上記水平フラップ用シャフトによりケーシングの吹出口に上下方向に回動自在に支持された水平フラップとを備えて、上記水平フラップのスイング動作時の回動角度の範囲内において、上記水平フラップの重心による回転モーメントが水平フラップの同一回動方向に作用するようにしたものである。
【００１８】
したがって、請求項１の発明の空気調和機の吹出口構造によれば、上記水平フラップのスイング動作時の回動角度の範囲内において、水平フラップの重心による回転モーメントが水平フラップの同一回動方向に作用するので、スイング動作中、水平フラップの重心による回転モーメントの反転がなく、水平フラップのスイング動作の上死点および下死点以外で駆動機構等のバックラッシにより一旦停止するということがない。したがって、バックラッシをなくすために、駆動機構の精密調整をしたり、駆動機構に別部材を使用したりする必要がなく、低コストで水平フラップのスイング動作をスムーズに行うことができる。
【図面の簡単な説明】
【図１】図１はこの発明の実施の一形態の空気調和機の吹出口構造を示す要部断面図である。
【図２】図２は従来の空気調和機の吹出口構造を示す要部断面図である。
【図３】図３は上記空気調和機の吹出口構造の水平フラップの駆動機構を示す分解斜視図である。
【符号の説明】
１…ドレンパン、２…フラップ支持板、２ａ…アーム、
３…水平フラップ、４…ディフューザ、５…吹出口、
１０…水平フラップ用シャフト、２０…ディフューザ用シャフト。
【図１】
0003582309.tif 000002
【図２】
0003582309.tif 000003
【図３】
0003582309.tif 000004